(57)【特許請求の範囲】
【請求項１】
冷媒を加圧する圧縮機１と、加圧した高温高圧の冷媒を冷却して液化するための第１熱交換器２と、該第１熱交換器２内に空気を通過させる送風機３とを収納した第１の枠体Ａと、
第１熱交換器２からキャピラリを介して送られる液化冷媒の気化熱を取り出すと共に気化した冷媒を圧縮機１に戻す第２熱交換器４と、該第２熱交換器４内に空気を通過させて冷風を作り出す対流送風機５とを収納した第２の枠体Ｂと、
前記第１の枠体Ａと第２の枠体Ｂとを設置するための共通のベース６と、
前記第１の枠体Ａと第２の枠体Ｂとの間で冷媒を循環させるために前記ベース６に沿って配設された２本の冷媒配管７・７と、を備え、
前記第１の枠体Ａと第２の枠体Ｂとの間に仮設設備の隔壁９を位置させる仮設設備用のエアコン装置において、
前記第２の枠体Ｂを設置するために前記ベース６から支柱１８を立設し、その支柱１８には仮設設備の内側に向けて前記第２の枠体Ｂが取り付けられ、その第２の枠体Ｂは対流送風機５への吸入口５ａ及び吐出口５ｂのない側面を第１の枠体Ａに向けて位置しており、
前記ベース６に設置された第１の枠体Ａは、前記送風機３への吸入口３ａを第２の枠体Ｂ側に配置し、その吸入口３ａとは反対側に吐出口３ｂを位置させており、
前記第１の枠体Ａと第２の枠体Ｂとの間に配置する仮設設備の前記隔壁９はシートで構成すると共に、
前記第１の枠体Ａと前記支柱１８との間には前記ベース６から仕切り部材８を立設し、
その仕切り部材８は前記ベース６から二本の柱８ａによって立設され、その二本の柱８ａを連結する横桟を前記第１の枠体Ａの吸入口３ａと対向する位置に配置して仕切り部を構成し、
仮設設備を構成するシートからなる前記隔壁９を仕切り部材８と第２の枠体Ｂとの隙間に配置し、そのシートが仕切り部材８の仕切り部によって第１の枠体Ａの吸入口３ａに吸着できないようにすることを特徴とするシートを使う仮設設備のためのエアコン装置。
【請求項２】
前記支柱１８に取付けた第２の枠体Ｂは前記第１の枠体Ａよりも高所に配置されることを特徴とする請求項１に記載したシートを使う仮設設備のためのエアコン装置。
【請求項３】
第２の枠体Ｂの第２熱交換器４の下部にドレン受け１０を設け、該ドレン受け１０から下方に伸ばしたドレンパイプ１１はベース６に沿って配設し、該ドレンパイプ１１の途中に取り付けたポンプ１２の吐出側のドレンパイプ１１の端は第１枠体Ａ内の第１熱交換器２の上部に開口し、
ドレン水を高温となる第１熱交換器２で気化させることを特徴とする請求項１に記載したシートを使う仮設設備のためのエアコン装置。
【請求項４】
第１の枠体Ａと第２の枠体Ｂとを設置したベース６の端部には脚部材１４を立設し、該脚部材１４の上部は第１の枠体Ａと第２の枠体Ｂと仕切り部材８の最上部と同じもしくは高く位置させ、該脚部材１４を使ってエアコン装置を積み重ねる請求項１に記載したシートを使う仮設設備のためのエアコン装置。
【発明の詳細な説明】
【技術分野】
【０００１】
この発明は屋根と３方の側壁を設けた仮設の店舗や、外部と遮断した空間を作り出すテントなどの仮設の設備に適するエアコン装置に関するものである。
【背景技術】
【０００２】
縁日やイベントなどで物品を販売するときや食事を取らせるために、パネルやシートなどで屋根と３方を覆う仮設の店舗が使われているが、このような仮設の設備では従来エアコンは使用できないものとされてきた。
【０００３】
また、仮設の住空間を作りだすテントや、パネルを組み合わせただけの仮設の部屋などでは、使用期間が比較的長いときには一体型の構成で冷風がフレキシブルダクトから吹出すスポットエアコンが使われることがあるが、これも一般的ではなく、結局、これらの仮設の設備ではエアコンはほとんど使われていないのが現状である。
【発明の開示】
【発明が解決しようとする課題】
【０００４】
ある程度の期間にわたって恒久的に使用する仮設の設備では側壁パネルに開口をあけて一体型の窓エアコンを使用するときがあるが、ふつう１日程度で取り壊す仮設設備ではこのようなエアコンの取り付け・取り外しの手間を省くためにほとんど使われておらず、せいぜい一体型のスポットエアコンの使用にとどまっており、またスポットエアコンでは冷風と温風とを同時に吹き出すから室内の平均温度が高くなり、このような仮設の設備に適するエアコンの要望がある。
【０００５】
また、シートで囲う仮設の店舗などや、シートで構成するテントなどでは、エアコンは使うことができず、このような仮設の設備のエアコンの要望がある。
【課題を解決するための手段】
【０００６】
この発明は上記課題を解決するもので、冷媒を加圧する圧縮機１と、加圧した高温高圧の冷媒を冷却して液化するための第１熱交換器２と、該第１熱交換器２内に空気を通過させる送風機３とを収納した第１の枠体Ａと、第１熱交換器２からキャピラリを介して送られる液化冷媒の気化熱を取り出すと共に気化した冷媒を圧縮機１に戻す第２熱交換器４と、該第２熱交換器４内に空気を通過させて冷風を作り出す対流送風機５とを収納した第２の枠体Ｂと、前記第１の枠体Ａと第２の枠体Ｂとを設置するための共通のベース６と、前記第１の枠体Ａと第２の枠体Ｂとの間で冷媒を循環させるために前記ベース６に沿って配設された２本の冷媒配管７・７と、を備え、前記第１の枠体Ａと第２の枠体Ｂとの間に仮設設備の隔壁９を位置させる仮設設備用のエアコン装置において、
前記第２の枠体Ｂを設置するために前記ベース６から支柱１８を立設し、その支柱１８には仮設設備の内側に向けて前記第２の枠体Ｂが取り付けられ、その第２の枠体Ｂは対流送風機５への吸入口５ａ及び吐出口５ｂのない側面を第１の枠体Ａに向けて位置しており、前記ベース６に設置された第１の枠体Ａは、前記送風機３への吸入口３ａを第２の枠体Ｂ側に配置し、その吸入口３ａとは反対側に吐出口３ｂを位置させており、前記第１の枠体Ａと第２の枠体Ｂとの間に配置する仮設設備の前記隔壁９はシートで構成すると共に、前記第１の枠体Ａと前記支柱１８との間には前記ベース６から仕切り部材８を立設し、その仕切り部材８は前記ベース６から二本の柱８ａによって立設され、その二本の柱８ａを連結する横桟を前記第１の枠体Ａの吸入口３ａと対向する位置に配置して仕切り部を構成し、仮設設備を構成するシートからなる前記隔壁９を仕切り部材８と第２の枠体Ｂとの隙間に配置し、そのシートが仕切り部材８の仕切り部によって第１の枠体Ａの吸入口３ａに吸着できないようにするものである。
【０００７】
そして、第１の枠体Ａは送風機３の吸入口３ａを第２の枠体Ｂに向いた側面に配置し、吐出口３ｂを吸入口３ａとは反対側に位置させることによって、吐出口３ｂから吹き出す廃熱を含む温風が、不用意に隔壁９の隙間から洩れ入ることはなく、仮設建物から離れて吹出すようになった。
【０００８】
また、前記支柱１８に取付けた第２の枠体Ｂは前記第１の枠体Ａよりも高所に配置され、第２の枠体Ｂの吐出口５ｂから冷風を下向きに吹出すことができるようになっている。
【０００９】
また、第２の枠体Ｂの第２熱交換器４の下部にドレン受け１０を設け、該ドレン受け１０から下方に伸ばしたドレンパイプ１１はベース６に沿って配設し、該ドレンパイプ１１の途中に取り付けたポンプ１２の吐出側のドレンパイプ１１の端は第１枠体Ａ内の第１熱交換器２の上部に開口し、ドレン水を高温となる第１熱交換器２で気化させれば、ドレン水を特別に流出させなくとも蒸発処理することができるようになった。
【００１０】
更に、第１の枠体Ａと第２の枠体Ｂとを設置したベース６の端部には脚部材１４を立設し、該脚部材１４の上部は第１の枠体Ａと第２の枠体Ｂと仕切り部材８の最上部と同じもしくは高く位置させ、該脚部材１４を使ってエアコン装置を積み重ね、少ないスペースでて保管できるようにしたものである。
【発明の効果】
【００１１】
上記のようにこの発明では一つのベース６の上に間隔をあけてエアコンを構成する二つの枠体Ａ・Ｂを設置し、二つの枠体Ａ・Ｂはベース６に沿って配設した冷媒配管７・７で接続するものであるから、ベース６ごと二つの枠体Ａ・Ｂを移動して、仮設設備の外部隔壁９が位置することになる場所に設置できるようになり、仮設設備用のエアコンとして非常に取り扱いやすいものとなった。
【００１２】
このように設置したエアコン設備に対して、第２の枠体Ｂは対流送風機５の吸込口５ａや吐出口５ｂのない側面を第１の枠体Ａに向け、仮設設備の隔壁９を二つの枠体Ａ・Ｂの間に形成した空間に位置させると、隔壁９の下端は床面・地面やベース６の上に届き、仮設設備の内側に第２の枠体Ｂが位置し、仮設設備の外側に第１の枠体Ａが位置した状態でエアコン設備を運転すると、第２の枠体Ｂから冷風が吹出して仮設設備の内部に冷風を供給することができ、初めて仮設のテントなどの設備の中でもエアコンを使用することができた。
【００１３】
また、二つの枠体Ａ・Ｂをベース６に設置したときの間隔にベース６から仕切り部材８を立設し、前記第２の枠体Ａと仕切り部材８との間に仮設設備の隔壁９を配置したから、前記仕切り部材８によって仮設設備の隔壁９が第１の枠体Ａに吸い寄せられるなど、隔壁９はむやみに動くようなことはなくなるので、隔壁９が第１枠体Ａの動作の障害になることなく、トラブルなくエアコン装置を運転できるようになった。
【００１４】
また、第１の枠体Ａは送風機３の吸入口３ａや吐出口３ａの位置を特定したから、第１の枠体Ａから吹出す熱風が隔壁９の隙間から第２の枠体Ｂ側に漏れて冷房効率を悪化させることなく、熱風は仮設建物から離れて吹出すという効果が得られる。
【００１５】
また、第２の枠体Ｂの第２熱交換器４から発生するドレン水の処理として、仕切り部材８の外方の高所にサイフォン作用で排出させたから、ドレン水が周囲に垂れ流しになる問題点は、ドレンパイプ１１の端の位置が高くなるので容器で受けることができ、別パイプで遠方に排出できるようになる。また、ドレンパイプ１１の途中にポンプ１２を配置して、ドレンパイプ１１の端を高温となる第１熱交換器２の上部に開口すれば、ドレン水は第１熱交換器２の表面で蒸発するので特別な排水処理が不要になる。
【００１６】
また、キャスターを取り付けたベース６を用いることにより、ベース６と一体の仕切り部材８などを手で押すことによって簡単にエアコン設備が移動できるようになり、重量のある仮設の設備であっても、正確に仮設設備の設置場所に設置することができるようになった。
【００１７】
更に、二つの枠体Ａ・Ｂを設置するベース６の端部には脚部材１４を所定の高さに立設すれば、該脚部材１４の上に別のエアコン設備のベース６を積み重ねることができ、仮設設備の付属品として、狭い収納場所で多数のエアコン設備が保管できるようになった。
【実施例】
【００１８】
実施例を示す図によってこの構成を説明すると、１は冷媒を加圧する圧縮機、２は圧縮機１で加圧された高温高圧の冷媒が送られる第１熱交換器、１５は第１熱交換器２が配置された冷却送風路、３は冷却送風路１５内の第１熱交換器２に空気を通過させて冷却する送風機であり、前記圧縮機１と第１熱交換器２と送風機３と冷却送風路１５は第１の枠体Ａ内に収納している。３ａは第１の枠体Ａ内の送風機３への吸入側の冷却送風路１５の入口に設けた吸入口、３ｂは第１の枠体Ａの前面に位置して冷却送風路１５の出口に設けた吐出口であり、吸入口３ａから入った空気は第１熱交換器２を冷却して高温高圧の冷媒を液化し、第１熱交換器２によって高温となった空気は第１の枠体Ａの前面の吐出口３ｂから熱風となって吹出している。
【００１９】
４は前記第１熱交換器２からキャピラリを介して液化冷媒が送られる第２熱交換器、１６は第２熱交換器２が配置された冷風送風路、５は冷風送風路１６内の第２熱交換器４に空気を通過させる対流送風機であり、前記第２熱交換器４と対流送風機５と冷風送風路１６は第２の枠体Ｂ内に収納している。５ａは第２の枠体Ｂ内の対流送風機５への吸入側の冷風送風路１６の入口に設けた吸入口、５ｂは枠体Ｂ内に設けた冷風送風路１６の出口に設けた吐出口であり、第２熱交換器４に送られた液化冷媒は第２熱交換器４内で気化し、吸入口５ａから入った空気は第２熱交換器４で冷媒の気化熱を奪って冷風となり、第２の枠体Ｂの吐出口５ｂから吹出している。７は第１の枠体Ａと第２の枠体Ｂとの間で圧縮機１・第１熱交換器２・第２熱交換器４．圧縮機１を連結して冷媒を循環させる冷媒配管である。
【００２０】
６は第１の枠体Ａと第２の枠体Ｂとが間隔をあけられて設置したベース、８はベース６に設置された二つの枠体Ａ・Ｂの間のベース６本体から立設した仕切り部材であり、該ベース６に設置した第２の枠体Ｂは吸入口５ａや吐出口５ｂのない側面を第１の枠体Ａに向けて位置しており、また、前記二つの枠体Ａ・Ｂとの間で冷媒を循環させる２本の冷媒配管７・７は仕切り部材８の下方のベース６に沿って配設してある。
【００２１】
上記のように構成したエアコン装置は仮設設備の適するものであって、９は仮設設備の隔壁であり、少なくとも３方の側壁や屋根で構成される仮設設備の側壁で構成する隔壁９は仕切り部材８と第２の枠体Ｂとの間に配置している。具体的には、あらかじめ設置する仮設設備の隔壁９が位置する場所が、仕切り部材８と第２の枠体Ｂとの間になるようにエアコン装置をベース６ごと設置し、その後仮設設備を立ち上げることによって所定の位置に隔壁９を配置するものである。
【００２２】
このように設置したエアコン装置は第１の枠体Ａが仮設設備の外側に位置し、第２の枠体Ｂを仮設設備の内側に位置させることができるから、エアコン装置を運転すると仮設設備の内側では、内側空間の空気が第２の枠体Ｂ内を通過して冷風となって内側空間を満たし、仮設設備でもエアコン装置の利用ができるようになった。
【００２３】
一方、第１の枠体Ａのベース６への設置に関して、送風機３への吸入口３ａ側が第２の枠体Ｂに向いた側面に配置しており、このような配置とすることで吐出口３ｂは吸入口３ａない反対側に位置するようになっている。この状態でエアコン装置を運転すると、送風機３は第２の枠体Ｂとの間隔の空気を吸入口３ａから吸い込んで第１の枠体Ａの前面の吐出口３ｂから熱風に変えて吹き出し、この熱風は隔壁９に向かって第２の枠体Ｂに漏れるようなことがなく、また、仕切り部材８の働きで仮設設備の隔壁９が吸入口３ａに吸い寄せられて第１の枠体Ａへの空気流の障害になることもない。
【００２４】
また、第１の枠体Ａの第１熱交換器２は広い面積を必要とするから、吸入口３ａから吐出口３ｂに向かう側の寸法が短くなっており、吸入口３ａをベース６の仕切り部材８に向ける第１の枠体Ａの設置構造によって、仕切り部材８から第１の枠体Ａの吐出口３ｂまでのベース６の寸法を短くでき、ベース６の全体形状の小型化に寄与できた。
【００２５】
１０は第２の枠体Ｂの第２熱交換器４の下部に設けたドレン受け、１１はドレン受け１０から下方に伸ばしたドレンパイプであり、該ドレンパイプ１１はベース６に沿って配設され、仕切り部材８の外方で立ち上げている。エアコン装置を運転すると、冷媒配管７によって送られた液状冷媒は第２熱交換器４の中で気化して表面を冷却しており、対流送風機５で送られる空気の中に含まれる水蒸気は第２熱交換器４の表面で水滴となり、ドレン水となってドレン受け１０に溜り、ドレンパイプ１１によって排出される。
【００２６】
８ａはベース６から立設する仕切り部材８の柱であり、前記ドレンパイプ１１は隔壁９の外側である仕切り部材８の柱８ａに沿って立ち上げられており、ドレンパイプ１１の立ち上げ部の高所をドレン受け１０よりも低く位置させておけば、ドレン受け１０に溜まったドレン水はサイフォン効果でドレンパイプ１１の端から排出できるようになり、ドレンパイプ１１の端から落差圧によってドレン水を任意の場所に流出させることができる。
【００２７】
実施例を示す図２において、１２はドレンパイプ１１の途中に取り付けたポンプであり、該ポンプ１２は第１の枠体Ａ内に取り付けられ、ドレン受け１０から下方に伸ばしたドレンパイプ１１は、ベース６に沿って配設してその先端が第１枠体Ａの第１熱交換器２の上部に開口している。このため、ドレン受け１０に溜まったドレン水はドレンパイプ１１を流下してポンプ１２で汲み上げられ、高温となる第１熱交換器２にふりかかるから、ドレンは第１熱交換器２の表面で蒸発することになり、ドレン水を排水溝に導くなどの処理が不要になった。
【００２８】
また、本発明のエアコン装置は各所へ頻繁に移動する仮設設備に使用するものであるから、このための対策が施されることが取り扱う上で好まれる。前記したようにこのエアコン装置は仮設設備の隔壁９が位置するところに正確に配置する必要があり、このため、第１の枠体Ａと第２の枠体Ｂとを設置するベース６にキャスターを取り付けることで、第１の枠体Ａと第２の枠体Ｂが一体となってかなりの重量があるエアコン装置であっても、簡単に所定の場所に設置できるようになった。
【００２９】
ところで、仮設設備に使用するエアコンではいつも使われることのほうが稀であり、多くの期間は倉庫などに保管を余儀なくされる。図２において、１４は第１の枠体Ａと第２の枠体Ｂとを設置したベース６の端部から立設した脚部材であり、該脚部材１４の上部は第１の枠体Ａと第２の枠体Ｂと仕切り部材８のいずれかの最上部と同じもしくはそれよりも高く位置させている。このため、他のエアコン装置を持ち上げて脚部材１４の上に積み重ねることができ、狭いスペースで多数のエアコン装置を保管することができた。１４ａは脚部材１４の上部に設けた突起、１４ｂは突起１４ａと対応する脚部材１４の下部に設けた凹部であり、エアコン装置を積み上げたときに突起１４ａと凹部１４ｂが嵌合して移動を防止できる。尚、凹部１４ｂと突起１４ａの位置を上下逆にしても同じ効果が得られる。
【００３０】
図２において、１７は逆Ｕ字形の仕切り部材８の二本の柱８ａに取り付けられて隔壁９を第２の枠体Ｂの方に押し付ける板ばね、１７ａは板ばね１７に取り付けられた押付バーであり、第１の枠体Ａの吸入口３ａとほぼ同じ高さに横設する押付バー１７ａは板ばね１７の力で隔壁９を押しているから、隔壁９は吸入口３ａから常に離れており、第１の枠体Ａと第２の枠体Ｂの間隔を狭くして、ベース６の形状を小さくしてもエアコン装置はトラブルなく運転できるようになった。
【００３１】
図２の実施例は、第２の枠体Ｂの吸入口５ａを上方に設け、吐出口５ｂを下方に設けた構造である。仮設設備がテントのようにほぼ外部と遮断できるときには第２の枠体Ｂは下方に吸入口５ａを配置して上部に吐出口５ｂを配置する構造でも実用となるが、屋根と３方の側面が覆われ残りの側面を開放して人が自由に出入りできる仮設設備では冷風が床面近くにあるほうが好ましい。
【００３２】
図２において、１８は第２の枠体Ｂをベース６に設置するための支柱であり、冷風を下向きに吹出すことができる第２の枠体Ｂは支柱１８を介してベース６に設置することにより、任意の高さに吐出口５ｂを位置させることができ、仮設設備の中を効果的に冷房することができる。
【００３３】
また、冷媒配管７は可撓性を持った配管で構成し、支柱１８は伸縮自在の構造にすれば、使用する仮設設備に合う位置に第２の枠体Ｂの吐出口５ｂを位置させることができ、また、エアコン装置を保管するときには支柱１８を縮めて第２の枠体Ｂの上端を低くすれば、脚部材１４の高さを低くでき、狭い保管スペースでたくさんのエアコン装置が保管できるようになる。
【図面の簡単な説明】
【００３４】
【図１】この発明の実施例に用いる部品を説明するための斜視図である。
【図２】この発明の実施例を示すエアコン設備の設置時の断面図である。
【図３】この発明のエアコン設備の実施状況を示す断面図であり、支柱を伸ばして使用する状態を示す。
【符号の説明】
【００３５】
１    圧縮機
２    第１熱交換器
３    送風機
３ａ  吸入口
３ｂ  吐出口
４    第２熱交換器
５    対流送風機
５ａ  吸入口
５ｂ  吐出口
６    ベース
７    冷媒配管
８    仕切り部材
９    隔壁
１０    ドレン受け
１１    ドレンパイプ
１２    ポンプ
１４    脚部材
Ａ    第１の枠体
Ｂ    第２の枠体
【図１】
0004450005.tif 000002
【図２】
0004450005.tif 000003
【図３】
0004450005.tif 000004